(57)【要約】【課題】消防緊急情報の送受信を直ちに開始できる技術を提供する【解決手段】無線チャネルを使用して所定のフォーマットのである消防および緊急に係る消防緊急情報を送受信する基地局装置１０と、基地局装置１０と消防緊急情報を送受信する複数の移動局装置２０とを備える消防緊急無線システム１において、基地局装置１０は、消防緊急情報を生成する消防緊急情報生成部１１と、消防緊急情報生成部１１によって生成された消防緊急情報を移動局装置２０に送信し、移動局装置２０から送信された消防緊急情報を受信する消防緊急情報送受信部１３とを具備し、消防緊急情報生成部１２は、消防緊急情報の送受信に使用すべき無線チャネルを示すチャネル情報をフォーマットの未定義領域に配置した消防緊急情報を生成し、移動局装置２０は、基地局装置１０から送信された消防緊急情報に含まれているチャネル情報を表示する表示部２５を具備する。【選択図】図１
2010232964.tif 000002
【特許請求の範囲】
【請求項１】
無線チャネルを使用して所定のフォーマットの消防緊急情報を送受信する基地局装置と、前記基地局装置と前記消防緊急情報を送受信する複数の移動局装置とを備える消防緊急無線システムであって、
前記基地局装置は、
前記所定のフォーマットの前記消防緊急情報を生成する消防緊急情報生成部と、
無線チャネルを使用して、前記消防緊急情報生成部によって生成された前記消防緊急情報を前記移動局装置に送信し、前記移動局装置から送信された前記消防緊急情報を受信する消防緊急情報送受信部と
を具備し、
前記消防緊急情報生成部は、
前記消防緊急情報の送受信に使用すべき無線チャネルを示すチャネル情報を前記フォーマットの未定義領域に配置した前記消防緊急情報を生成し、
前記移動局装置は、
前記基地局装置から送信された前記消防緊急情報に含まれている前記チャネル情報を表示する表示部
を具備することを特徴とする消防緊急無線システム。
【請求項２】
前記消防緊急情報送受信部は、
前記チャネル情報を含む前記消防緊急情報を前記移動局装置に送信してから所定の時間内に、前記チャネル情報によって示される無線チャネルを使用して前記移動局装置から前記消防緊急情報を受信しなかった場合に、再度、前記チャネル情報を含む前記消防緊急情報を送信することを特徴とする請求項１に記載の消防緊急無線システム。
【請求項３】
無線チャネルを使用して所定のフォーマットの消防緊急情報を移動局装置に送信する基地局装置であって、
前記所定のフォーマットの前記消防緊急情報を生成する消防緊急情報生成部と、
前記消防緊急情報生成部によって生成された前記消防緊急情報を、無線チャネルを使用して前記移動局装置に送信する消防緊急情送送信部と
を備え、
前記消防緊急情報生成部は、
前記消防緊急情報の送信に使用すべき無線チャネルを示すチャネル情報を前記フォーマットの未定義領域に配置した前記消防緊急情報を生成することを特徴とする基地局装置。
【請求項４】
無線チャネルを使用して所定のフォーマットの消防緊急情報を移動局装置に送信する消防緊急情報送信方法であって、
前記所定のフォーマットの前記消防緊急情報を生成する消防緊急情報生成ステップと、
前記消防緊急情報生成ステップによって生成された前記消防緊急情報を、無線チャネルを使用して前記移動局装置に送信する消防緊急情送送信ステップと
を有し、
前記消防緊急情報生成ステップは、
前記消防緊急情報の送信に使用すべき無線チャネルを示すチャネル情報を前記フォーマットの未定義領域に配置した前記消防緊急情報を生成することを特徴とする消防緊急情報送信方法。
【発明の詳細な説明】
【技術分野】
【０００１】
本発明は、消防緊急無線システム、基地局装置および消防緊急情報送信方法に関する。特に、所定のフォーマットの消防緊急情報を送受信する消防緊急無線システム、基地局装置および消防緊急情報送信方法に関する。
【背景技術】
【０００２】
図５は、従来の消防緊急無線システム９の概略構成図である。図６は、無線回線フォーマットの一例である。従来の消防緊急無線システム９は、図５に示すように、消防および緊急に係る情報（以下、「消防緊急情報」という）を送受信する基地局装置８０と複数の移動局装置９０（移動局装置９０ａ…移動局装置９０ｎ）とを備える。基地局装置８０は、消防緊急情報生成部８１、回線制御部８２および消防緊急情報送受信部８３を備える。消防緊急情報送受信部８３は、複数の無線部（無線部８３ａ、無線部８３ｂ、無線部８３ｃ…無線部８３ｍ）を備える。
【０００３】
消防緊急情報生成部８１は、所定のフォーマットの消防緊急情報を生成する。例えば、消防緊急情報生成部８１は、電話機７０（電話機７０ａ、電話機７０ｂ、電話機７０ｃ）から音声情報を取得し、消防緊急デジタル無線（ＳＣＰＣ方式）に係る無線回線フォーマットの消防緊急情報を生成する。
【０００４】
消防緊急デジタル無線（ＳＣＰＣ方式）に係る無線回線フォーマットは、図６に示すように、ＬＡ領域、Ｐａ領域、ＦＣＨ／ＦＡＣＣＨ領域、ＲＩ領域、ＳＷ領域およびＳＡＣＣＨ領域を有する。各領域内に示す数字は当該領域のビット数である。ＬＡ領域、Ｐａ領域、ＲＩ領域およびＳＷ領域は、制御情報を格納する領域である。ＦＣＨ／ＦＡＣＣＨ領域は、ユーザ情報（音声情報、文字情報等）を格納する領域である。ＳＡＣＣＨ領域は、未定義領域である。
【０００５】
回線制御部８２は、消防緊急情報送受信部８３の回線（無線チャネル）を制御（設定等）する。図５に示す例において、回線制御部８２は、無線部８３ａに無線チャネル１、無線部８３ｂに無線チャネル２、無線部８３ｃに無線チャネル３、無線部８３ｍに無線チャネルＸを設定している。
【０００６】
消防緊急情報送受信部８３は、各無線部８３ａ、８３ｂ、８３ｃ・・・８３ｍを用いて、各無線部に設定されている無線チャネルを使用して、移動局装置９０との間で消防緊急情報を送受信する。
【０００７】
移動局装置９０は、消防緊急情報生成部９１、回線制御部９２、消防緊急情報送受信部９３および受話器９９備える。消防緊急情報生成部９１は、所定のフォーマットの消防緊急情報を生成する。例えば、消防緊急情報生成部９１は、受話器９９から音声情報を取得し、図６に示す無線回線フォーマットの消防緊急情報を生成する。
【０００８】
回線制御部９２は、消防緊急情報送受信部９３の回線（無線チャネル）を制御（設定等）する。図５に示す例において、移動局装置９０ａには無線チャネル１が設定され、移動局装置９０ｎには無線チャネル２が設定されている。消防緊急情報送受信部９３は、設定されている無線チャネルによって、基地局装置８０との間で消防緊急情報を送受信する。
【０００９】
即ち、基地局装置８０と各移動局装置９０とは、複数の無線チャネルのなかから設定された一のチャンネルによって消防緊急情報を送受信することができる。図５に示す例において、基地局装置８０（無線部８３ａ）と移動局装置９０ａとは、無線チャンネル１によって消防緊急情報を送受信することができる。一方、基地局装置８０（無線部８３ａ）と移動局装置９０ｎとは、消防緊急情報を送受信することができない。両者に設定されているチャネルが異なるからである。但し、基地局装置８０（無線部８３ｂ）と移動局装置９０ｎとは、無線チャンネル２によって消防緊急情報を送受信することができる。
【００１０】
各移動局装置９０が使用する無線チャネルの設定は、基地局運用者と移動局運用者との間で事前に取り決めた運用ルール、又は、基地局運用者から移動局運用者への音声（口頭）による都度の伝達に従って、移動局運用者が手動で行っている。なお、特許文献１および特許文献２は、何れも基地局と移動局とを備える無線システムについて開示している。
【先行技術文献】
【特許文献】
【００１１】
【特許文献１】特開２００７−００９６４０９号公報
【特許文献２】特開平１１−１８１５３号公報
【発明の概要】
【発明が解決しようとする課題】
【００１２】
しかしながら、従来の消防緊急無線システム９において、消防緊急情報の送受信を直ちに開始できない状況を招きやすいという問題がある。例えば、基地局側運用者が無線チャネルを言い間違えた場合、移動局側運用者が無線チャネルを聞き間違えた場合などは、移動局側運用者による移動局装置９０の無線チャネルの設定が不適切となるため、直ちに消防緊急情報を送受信できない事態に陥る。
【００１３】
本発明は、このような事情に鑑みてなされたものであり、消防緊急情報の送受信を直ちに開始できる消防緊急無線システムを提供することを目的とする。
【課題を解決するための手段】
【００１４】
上記問題を解決するために、本発明の一態様は、無線チャネルを使用して所定のフォーマットの消防緊急情報を送受信する基地局装置と、基地局装置と消防緊急情報を送受信する複数の移動局装置とを備える消防緊急無線システムであって、基地局装置は、所定のフォーマットの消防緊急情報を生成する消防緊急情報生成部と、無線チャネルを使用して、消防緊急情報生成部によって生成された消防緊急情報を移動局装置に送信し、移動局装置から送信された消防緊急情報を受信する消防緊急情報送受信部とを具備し、消防緊急情報生成部は、消防緊急情報の送受信に使用すべき無線チャネルを示すチャネル情報をフォーマットの未定義領域に配置した消防緊急情報を生成し、移動局装置は、基地局装置から送信された消防緊急情報に含まれているチャネル情報を表示する表示部を具備することを特徴とする。
【発明の効果】
【００１５】
本発明によれば、チャネル情報を送信することによって、無線チャネルを移動局装置に表示させることができるようになるため、基地局側運用者による無線チャネルの言い間違え、移動局側運用者による無線チャネルの聞き間違えが生じなくなる。従って、移動局側運用者は、直ちに適切な無線チャネルを移動局装置に設定し、直ちに消防緊急情報を送受信することができるようになる。
【図面の簡単な説明】
【００１６】
【図１】本発明の実施形態に係る消防緊急無線システム１の概略構成図である。
【図２】表示部２５に表示されるチャネル情報の一例である。
【図３】基地局装置１０および移動局装置２０の動作の一例を示すフローチャートである。
【図４】消防緊急無線システム１のチャネル情報の送信動作を説明するための説明図である。
【図５】従来の消防緊急無線システム９の概略構成図である。
【図６】無線回線フォーマットの一例である。
【発明を実施するための形態】
【００１７】
以下、本発明の実施形態について図面を参照して詳細に説明する。図１は、本発明の実施形態に係る消防緊急無線システム１の概略構成図である。図２は、表示部２５に表示されるチャネル情報の一例である。消防緊急無線システム１は、図１に示すように、消防緊急情報を送受信する基地局装置１０と複数の移動局装置２０（移動局装置２０ａ…移動局装置２０ｎ）とを備える。基地局装置１０は、消防緊急情報生成部１１、回線制御部１２および消防緊急情報送受信部１３を備える。消防緊急情報送受信部１３は、複数の無線部（無線部１３ａ、無線部１３ｂ、無線部１３ｃ…無線部１３ｍ）を備える。
【００１８】
消防緊急情報生成部１１は、所定のフォーマットの消防緊急情報を生成する。例えば、消防緊急情報生成部１１は、電話機７０（電話機７０ａ、電話機７０ｂ、電話機７０ｃ）から音声情報を取得し、図５に示す無線回線フォーマットの消防緊急情報を生成する。消防緊急情報生成部１１は、図５に示す無線回線フォーマットの未定義領域（ＳＡＣＣＨ領域）に、消防緊急情報の送受信に使用すべき無線チャネルを示す情報（以下、「チャネル情報」という）を配置（格納）した消防緊急情報を生成する。なお、使用すべき無線チャネルは、基地局側運用者の都度の入力、または、所定のルール（例えば、基地局側運用者によって入力された災害の種類に対応付けられている無線チャネル）に基づいて決定される。また、チャネル情報は、例えば、テキスト情報（文字、英数字）である。
【００１９】
回線制御部１２は、消防緊急情報送受信部１３の回線（無線チャネル）を制御（設定等）する。図１に示す例において、回線制御部１２は、無線部１３ａに無線チャネル１、無線部１３ｂに無線チャネル２、無線部１３ｃに無線チャネル３、無線部１３ｍに無線チャネルＸを設定している。
【００２０】
消防緊急情報送受信部１３は、各無線部１３ａ、１３ｂ、１３ｃ・・・１３ｍを用いて、各無線部に設定されている無線チャネルを使用して、移動局装置２０との間で消防緊急情報を送受信する。また、消防緊急情報送受信部１３は、チャネル情報を含む消防緊急情報を移動局装置２０に送信してから所定の時間内に、チャネル情報によって示される無線チャネルを使用して移動局装置２０から消防緊急情報を受信しなかった場合には、再度、チャネル情報を含む消防緊急情報を移動局装置２０に送信する。
【００２１】
移動局装置２０は、消防緊急情報生成部２１、回線制御部２２、消防緊急情報送受信部２３、抽出部２４、表示部２５および受話器２９を備える。消防緊急情報生成部２１は、所定のフォーマットの消防緊急情報を生成する。例えば、消防緊急情報生成部２１は、受話器２９から音声情報を取得し、図５に示す無線回線フォーマットの消防緊急情報を生成する。
【００２２】
回線制御部２２は、消防緊急情報送受信部２３の回線（無線チャネル）を制御（設定等）する。図１に示す例において、移動局装置２０ａには無線チャネル１が設定され、移動局装置２０ｎには無線チャネル２が設定されている。消防緊急情報送受信部２３は、設定されている無線チャネルによって、基地局装置１０との間で消防緊急情報を送受信する。
【００２３】
抽出部２４は、基地局装置１０から送信された消防緊急情報に含まれているチャネル情報を抽出して表示部２５に表示する。例えば、抽出部２４は、図２に示すような、チャネル情報を表示部２５に表示する。
【００２４】
図３は、基地局装置１０および移動局装置２０の動作の一例を示すフローチャートである。図３（ａ）は基地局装置１０の動作、図３（ｂ）は移動局装置２０の動作である。図３（ａ）のフローチャートは、消防または緊急事態が発生したときに開始する。図３（ｂ）のフローチャートは、消防緊急情報の受信により開始する。なお、両フローチャートにおいては、説明の便宜上、基地局装置１０側から移動局装置２０側へと消防緊急情報を送信する例を説明する。
【００２５】
図３（ａ）において、基地局装置１０の消防緊急情報生成部１１は、チャネル制御情報を配置（格納）した消防緊急情報を生成する（ステップＳ１０）。消防緊急情報生成部１１は、生成したチャネル情報を含む消防緊急情報を一時記憶するとともに、当該消防緊急情報を消防緊急情報送受信部１３に供給する。消防緊急情報送受信部１３は、消防緊急情報生成部１１から取得したチャネル制御情報を含む消防緊急情報を移動局装置２０に送信する（ステップＳ１１）。
【００２６】
消防緊急情報送受信部１３は、チャネル情報によって示される無線チャネルを使用して移動局装置２０から消防緊急情報を受信したか否かを判断する（ステップＳ１２）。消防緊急情報送受信部１３は、チャネル情報によって示される無線チャネルを使用して移動局装置２０から消防緊急情報を受信したと判断した場合（ステップＳ１２：Ｙｅｓ）、基地局装置１０側から移動局装置２０側へと消防緊急情報（チャネル情報を含むかどうかは問わない）を送信する（ステップＳ１３）。そして、本フローチャートは終了する。なお、説明の便宜上、基地局装置１０によるステップＳ１３の実行は１回であるように示したが、基地局装置１０は音声情報を入力する都度ステップＳ１３を実行する。
【００２７】
一方、消防緊急情報送受信部１３は、チャネル情報によって示される無線チャネルを使用して移動局装置２０から消防緊急情報を受信してないと判断した場合（ステップＳ１２：Ｎｏ）、ステップＳ１１に戻って、再度、チャネル情報を含む消防緊急情報を移動局装置２０に送信する（ステップＳ１１）。
【００２８】
図３（ｂ）において、移動局装置２０の消防緊急情報送受信部２３は、基地局装置１０から消防緊急情報を受信し、当該消防緊急情報に含まれている音声を音声出力部（非図示）から出力する（ステップＳ２０）。
【００２９】
移動局装置２０の消防緊急情報送受信部２３は、当該消防緊急情報内にチャネル情報が含まれているか否かを判断する（ステップＳ２１）。消防緊急情報送受信部２３は、当該消防緊急情報内にチャネル情報が含まれていると判断した場合（ステップＳ２１：Ｙｅｓ）、チャネル情報を含む消防緊急情報を抽出部２４に供給する。抽出部２４は、チャネル情報を含む消防緊急情報からチャネル情報を抽出して表示部２５に表示する（ステップＳ２２）。そして本フローチャートは終了する。一方、消防緊急情報送受信部２３は、当該消防緊急情報内にチャネル情報が含まれていないと判断した場合（ステップＳ２１：Ｎｏ）、ステップＳ２２を飛ばして本フローチャートは終了する。
【００３０】
図４は、消防緊急無線システム１のチャネル切替動作を説明するための説明図である。なお、図４は、基地局装置１０が無線チャネル１を使用して移動局装置２０ａ、２０ｎと消防緊急情報を送受信する場面を想定している。なお、基地局装置１０の無線部１３ａには無線チャネル１が設定され、無線部１３ｂには無線チャネル２が設定されているものとする。また、移動局装置２０ａの消防緊急情報送受信部２３には無線チャネル１が設定され、移動局装置２０ｎの消防緊急情報送受信部２３には無線チャネル２が設定されているものとする。
【００３１】
基地局装置１０は、無線部１３ａを用いて無線部１３ａに設定されている無線チャネル１を使用して、無線チャネル１を示すチャネル情報を含む消防緊急情報を送信（発射）する（送信１）。
【００３２】
送信１によるチャネル情報を含む消防緊急情報を受信した移動局装置２０ａは、音声を出力するとともに、無線チャネル１を示すチャネル情報を表示部２５に表示する。なお、移動局装置２０ｎは、送信１によるチャネル情報を含む消防緊急情報を受信できない。
【００３３】
基地局装置１０は、送信１と同様に、無線部１３ｂを用いて無線部１３ｂに設定されている無線チャネル２を使用して、無線チャネル１を示すチャネル情報を含む消防緊急情報を送信（発射）する（送信２）。
【００３４】
送信２によるチャネル情報を含む消防緊急情報を受信した移動局装置２０ｎは、音声を出力するとともに、無線チャネル１を示すチャネル情報を表示部２５に表示する（図３の例では、その後、移動局側運用者が無線チャネル１に手動設定している）。なお、移動局装置２０ａは、送信２によるチャネル情報を含む消防緊急情報を受信できない。
【００３５】
なお、基地局装置１０は、上述の如く、無線チャネル１を示すチャネル情報を含む消防緊急情報を移動局装置２０に送信してから所定の時間内に（例えば送信２から所定の時間内に）、無線チャネル１を使用して移動局装置２０ａおよび移動局装置２０ｎから消防緊急情報を受信しなかった場合には、再度、無線チャネル１を示すチャネル情報を含む消防緊急情報を移動局装置２０に送信する。
【００３６】
以上、上記実施形態によれば、チャネル情報を送信することによって、無線チャネルを移動局装置２０に表示させることができるようになるため、基地局側運用者による無線チャネルの言い間違え、移動局側運用者による無線チャネルの聞き間違えが生じなくなる。従って、移動局側運用者は、直ちに適切な無線チャネルを移動局装置２０に設定し、直ちに消防緊急情報を送受信することができるようになる。
【００３７】
また、所定のフォーマットの未定義とされている領域を用いてチャネル情報を送信するため、チャネル情報を音声情報に重畳させて伝送することができる。従って、音声情報の送受信に何ら影響を与えることなく、直ちに消防緊急情報を送受信することができるようになる。例えば、従来と同等の音声情報の帯域を確保しつつ、直ちに消防緊急情報を送受信することができるようになる。なお、移動局装置が何れの無線チャネルに設定されていたとしても、移動局装置側での設定が想定される全ての無線チャネルを用いてチャネル情報を送信すれば、確実に、基地局運用者に設定すべき無線チャネルを伝達することができる。
【００３８】
なお、上記実施形態において、チャネル情報は、図２に示すように、テキスト情報（文字、英数字）であると説明したが、これに代えて又は加えて、テキスト情報（絵文字等を識別する識別符号）であってもよい。絵文字等を表示することによって視認性を向上させることができる。なお、未定義領域（ＳＡＣＣＨ領域）に格納できるのであれば、バイナリ情報（ビットマップ）であってもよい。
【００３９】
また、上記実施形態において、基地局装置１０の消防緊急情報生成部１１は、チャネル情報を未定義領域（ＳＡＣＣＨ領域）に配置した消防緊急情報を生成し、移動局装置２０の抽出部２４はチャネル情報を表示部２５に表示したが、基地局装置１０の消防緊急情報生成部１１は、チャネル情報および通信の種類（災害の種類等）を示す情報を未定義領域（ＳＡＣＣＨ領域）に配置した消防緊急情報を生成し、移動局装置２０の抽出部２４はチャネル情報および通信の種類（災害の種類等）を示す情報を表示部２５に表示してもよい。なお、図２の「＠＠火災」「＠＠救助」は、災害の種類を示す情報の一例である。
【００４０】
なお、移動局装置２０は、抽出部２４によって抽出されたチャネル情報を一時記憶するチャネル情報記憶部（非図示）を更に備えてもよい。基地局運用者は、無線チャネルの設定に不安がある場合などの必要時に、チャネル情報記憶部に一時記憶されている最新のチャネル情報を表示部２５に表示して、設定すべき無線チャネルを直ちに確認することができるため、直ちに消防緊急情報を送受信することができるようになる。
【００４１】
なお、上記実施形態において、基地局装置１０は、消防緊急情報生成部１１、回線制御部１２および消防緊急情報送受信部１３を備える態様を説明したが、基地局装置１０が消防緊急情報生成部１１、回線制御部１２および消防緊急情報送受信部１３の全てを備えなくてもよい。例えば、基地局装置１０は、消防緊急情報生成部１１および回線制御部１２を備え、別体である基地局装置１０と異なる他の一の装置が消防緊急情報送受信部１３を備える態様であってもよい。また、消防緊急情報送受信部１３を備える他の一の装置に代えて、複数の無線装置（無線部１３ａの機能を備える無線装置、無線部１３ｂの機能を備える無線装置、無線部１３ｃの機能を備える無線装置…無線部１３ｍの機能を備える無線装置）を備える態様であってもよい。また、他の一の装置が消防緊急情報生成部１１または回線制御部１２を備える態様であってもよい。
【００４２】
以上、この発明の実施形態について図面を参照して詳述してきたが、具体的な構成はこの実施形態に限られるものではなく、この発明の要旨を逸脱しない範囲の設計等も含まれる。
【符号の説明】
【００４３】
１  消防緊急無線システム  １０  基地局装置    １１  消防緊急情報生成部  １２  回線制御部  １３  消防緊急情報送受信部  ２０  移動局装置  ２４  抽出部  ２５  表示部
【図１】
2010232964.tif 000003
【図２】
2010232964.tif 000004
【図３】
2010232964.tif 000005
【図４】
2010232964.tif 000006
【図５】
2010232964.tif 000007
【図６】
2010232964.tif 000008